(57)【要約】  【課題】  ユーザ操作を煩雑にすることなくファイルの検索時間を短縮して使用性を向上できるディスク再生装置を提供する。  【解決手段】  データを記憶するメモリ８と、ディスク挿入時にディスクＤに格納されたファイルを検索し、ファイルの記録位置と、ファイルのサイズと、ファイルの種類毎に異なるように付されたフラグとから成るリストを作成してメモリ８に記憶するリスト作成手段（＃１１〜＃１５）と、再生するファイルの種類を指定する指定手段（＃１６）とを備え、指定手段で指定した種類に対応するフラグによりリストを検索し、リストのデータに基づいてファイルをディスクＤから取り出して再生する。【選択図】      図２
2006048816.tif 000002
【特許請求の範囲】
【請求項１】
データを記憶するメモリと、
ディスク挿入時にディスクに格納されたファイルを検索し、ファイルの記録位置と、フ
ァイルのサイズと、ファイルの拡張子毎に異なるように付されたフラグとから成るリスト
を作成して前記メモリに記憶するリスト作成手段と、
再生するファイルの拡張子を指定する指定手段と、
を備え、前記指定手段で指定した拡張子に対応するフラグにより前記リストを検索し、
前記リストのデータに基づいてファイルをディスクから取り出して再生することを特徴と
するディスク再生装置。
【請求項２】
前記フラグは音楽ファイルの拡張子及び画像ファイルの拡張子にそれぞれ対応して設け
られることを特徴とする請求項１に記載のディスク再生装置。
【請求項３】
データを記憶するメモリと、
ディスク挿入時にディスクに格納されたファイルを検索し、ファイルの記録位置と、フ
ァイルの種類毎に異なるように付されたフラグとから成るリストを作成して前記メモリに
記憶するリスト作成手段と、
再生するファイルの種類を指定する指定手段と、
を備え、前記指定手段で指定した種類に対応するフラグにより前記リストを検索し、前
記リストのデータに基づいてファイルをディスクから取り出して再生することを特徴とす
るディスク再生装置。
【請求項４】
前記リストにファイルのサイズを記憶したことを特徴とする請求項３に記載のディスク
再生装置。
【請求項５】
前記フラグは音楽ファイル及び画像ファイルにそれぞれ対応して設けられることを特徴
とする請求項３または請求項４に記載のディスク再生装置。
【発明の詳細な説明】
【技術分野】
【０００１】
本発明は、複数の種類の異なるファイルが記録されたディスクを再生するディスク再生
装置に関する。
【背景技術】
【０００２】
音楽や画像等の種類の異なるファイルが混在して記録されたディスクを再生する従来の
ディスク再生装置は、音楽ファイルの再生を行うか画像ファイルの再生を行うか等の再生
するファイルの種類をユーザに問い合わせる。ユーザがファイルの種類を指定すると指定
された種類のファイルをディスクから検索して順次再生を行う。これにより、所望の種類
のファイルを再生することができる。
【０００３】
上記のディスク再生装置は、再生するファイルを順次ディスクから検索して取り出すた
めユーザは検索時間を待機する必要があり、ディスク再生装置の使用性が悪い問題があっ
た。
【０００４】
特許文献１にはディスクにファイルを書き込む際にファイル固有のインデックスデータ
を同時に書き込み、インデックスデータを読み込んで記憶するメモリを有したディスク再
生装置が開示されている。従って、インデックスデータとしてファイルの種類及びファイ
ルの位置を書き込み、インデックスデータを検索して該当するファイルをディスクから取
り出すことにより検索時間を短縮することができる。
【特許文献１】特開平２−５８１６７号公報（第１頁−第５頁、第３図）
【発明の開示】
【発明が解決しようとする課題】
【０００５】
しかしながら、上記特許文献１に開示された従来のディスク再生装置によると、ユーザ
によりインデックスデータを書き込む操作を必要とするため操作が煩雑になり使用性が低
下する問題がある。また、インデックスデータを書き込む機能を持たないディスク再生装
置で記録されたディスクの検索速度が低下する問題がある。
【０００６】
本発明は、ユーザ操作を煩雑にすることなくファイルの検索時間を短縮して使用性を向
上できるディスク再生装置を提供することを目的とする。
【課題を解決するための手段】
【０００７】
上記目的を達成するために本発明は、
データを記憶するメモリと、
ディスク挿入時にディスクに格納されたファイルを検索し、ファイルの記録位置と、フ
ァイルのサイズと、ファイルの拡張子毎に異なるように付されたフラグとから成るリスト
を作成して前記メモリに記憶するリスト作成手段と、
再生するファイルの拡張子を指定する指定手段と、
を備え、前記指定手段で指定した拡張子に対応するフラグにより前記リストを検索し、
前記リストのデータに基づいてファイルをディスクから取り出して再生することを特徴と
している。
【０００８】
この構成によると、ディスクを挿入するとディスクに書き込まれたファイルを順次検索
して各ファイルの記録位置、サイズ、拡張子が検出される。これにより、各ファイルの記
録位置、サイズ及び各ファイルの拡張子に応じたフラグを含むリストが作成され、メモリ
に記憶される。ユーザにより再生するファイルの拡張子が指定手段により指定されると、
メモリ上のリストから指定された拡張子に応じたフラグを検索して各ファイルの記録位置
及びサイズのデータを取り出し、これらのデータに基づいてディスクからファイルを取り
出して再生する。
【０００９】
また本発明は、上記構成のディスク再生装置において、前記フラグは音楽ファイルの拡
張子及び画像ファイルの拡張子にそれぞれ対応して設けられることを特徴としている。
【００１０】
また本発明は、上記構成のディスク再生装置において、
データを記憶するメモリと、
ディスク挿入時にディスクに格納されたファイルを検索し、ファイルの記録位置と、フ
ァイルの種類毎に異なるように付されたフラグとから成るリストを作成して前記メモリに
記憶するリスト作成手段と、
再生するファイルの種類を指定する指定手段と、
を備え、前記指定手段で指定した種類に対応するフラグにより前記リストを検索し、前
記リストのデータに基づいてファイルをディスクから取り出して再生することを特徴とし
ている。
【００１１】
この構成によると、ディスクを挿入するとディスクに書き込まれたファイルを順次検索
して各ファイルの記録位置及び種類が検出される。これにより、各ファイルの記録位置及
び各ファイルの種類に応じたフラグを含むリストが作成され、メモリに記憶される。ユー
ザにより再生するファイルの種類が指定手段により指定されると、メモリ上のリストから
指定された種類に応じたフラグを検索して各ファイルの記録位置のデータを取り出し、こ
のデータに基づいてディスクからファイルを取り出して再生する。
【００１２】
また本発明は、上記構成のディスク再生装置において、前記リストにファイルのサイズ
を記憶したことを特徴としている。
【００１３】
また本発明は、上記構成のディスク再生装置において、前記フラグは音楽ファイル及び
画像ファイルにそれぞれ対応して設けられることを特徴としている。
【発明の効果】
【００１４】
本発明によると、ディスク挿入時にファイルの記録位置を有したリストを作成してメモ
リに記憶し、リストのデータに基づいてディスクからファイルを取り出して再生するので
、指定された拡張子または種類のファイルをディスク上で検索する時間を短縮することが
できる。従って、再生開始までの待機時間を短縮して、ディスク再生装置の使用性が向上
する。
【００１５】
また、ファイルの種類または拡張子に対応するフラグをリストに記憶するので検索時間
をより短縮することができる。加えて、ディスクの書込み時にユーザによりデータを書き
込む必要がなく、書込みの状況を問わずあらゆるディスクに対してファイルの検索時間を
短縮できるとともに、ユーザによる煩雑な操作が不要になりディスク再生装置の使用性を
より向上することができる。
【００１６】
また本発明によるとファイルのサイズをリストに含むことにより再生の終了位置を容易
に検出することができる。
【発明を実施するための最良の形態】
【００１７】
以下に本発明の実施形態を図面を参照して説明する。図１は一実施形態のディスク再生
装置の構成を示すブロック図である。ディスク再生装置１は各部を制御する制御部２を有
している。制御部２には復調部５、駆動部６、デコーダ７、記憶部８、操作部９が接続さ
れる。
【００１８】
駆動部６はディスクＤに書き込まれた情報を読み取る光ピックアップ３を駆動する。光
ピックアップ３にはＲＦアンプ４が接続され、ＲＦアンプ４には復調部５が接続される。
ＲＦアンプ４は光ピックアップ３で検出された高周波の検出信号を増幅する。復調部５は
ＲＦアンプ４で検出された検出信号からデータを復調する。
【００１９】
制御部２に接続されるデコーダ７は復調部５により復調された音声データ及び画像デー
タを復号化する。デコーダ７には出力部１０が接続され、復号化されたデータが出力され
る。従って、光ピックアップ３、ＲＦアンプ４、復調部５、制御部２、デコーダ７及び出
力部１０によりディスクに書き込まれた音声データや画像データを再生する再生部１１が
構成されている。また、光ピックアップ３によりディスクに書き込まれたファイルの情報
やディレクトリの情報を読み取ることができるようになっている。
【００２０】
制御部２に接続されるメモリ８はＥＥＰＲＯＭやＲＡＭ等から成り、ディスク再生装置
１を駆動するプログラムが格納されるとともに制御部２の演算結果等を一時記憶する。操
作部９はディスク再生装置１の本体部または本体部と通信可能なリモートコントローラ（
不図示）に設けられ、ユーザ操作によって制御部２に対して各種指示を行う。
【００２１】
ディスク再生装置１にディスクＤが装填されるとメモリ８からプログラムが呼び出され
て制御部２により実行される。図２はこの動作を示すフローチャートである。ステップ＃
１１でディスクＤに記録された先頭のファイルのファイル情報が光ピックアップ３により
取得される。ファイル情報は、ディレクトリ番号、ディレクトリの階層、ファイルの記録
位置、ファイルのサイズ、ファイル名、拡張子等から成る。
【００２２】
ステップ＃１２ではファイルの種類が制御部２により判別される。ファイルの種類はフ
ァイルに付される拡張子により容易に判別することができる。例えば、拡張子がｍｐ３や
ｗｍａの場合は音楽データを示し、ｍｐｇやａｖｉの場合は動画データを示し、ｊｐｇ、
ｇｉｆ、ｐｎｇの場合は静止画データを示している。
【００２３】
ステップ＃１３では拡張子毎に区別されるファイルの種類に応じて数値化したフラグが
付される。例えば、拡張子がｍｐ３の場合は０ｘ０１、ｗｍａの場合は０ｘ０２、ｊｐｇ
の場合は０ｘ０４、ｍｐｇの場合は０ｘ０８等のフラグが付される。尚、音楽データや画
像データ毎に区別したファイルの種類に応じてフラグを付してもよい。この場合には、例
えば、ｍｐ３やｗｍａ等の音楽データの場合は０ｘ０１、ｍｐｇやａｖｉ等の動画データ
の場合は０ｘ０２、ｊｐｇやｇｉｆ等の静止画データの場合は０ｘ０３等のフラグが付さ
れる。
【００２４】
ステップ＃１４では上記フラグを含むファイルの情報から成るリストが作成され、メモ
リ８に記憶される。ステップ＃１５ではディスクに書き込まれたファイルが最後か否かが
判断される。ディスクに書き込まれたファイルが最後でない場合はステップ＃１１に戻り
、順次ファイルを検索して各ファイルのファイル情報をリストに追加してメモリ８に記憶
される。
【００２５】
そして、ディスクに書き込まれた全てのファイルのファイル情報をディスクから取り出
すまでステップ＃１１〜＃１５が繰り返し行われ、図３に示すようなリストが作成される
。従って、ステップ＃１１〜＃１５によってディスクに書き込まれた全てのファイルのフ
ァイル情報のリストを作成するリスト作成手段が構成されている。
【００２６】
図３において、ファイル情報のリストは、各ファイル情報にＩＤ番号が付され、ディレ
クトリ番号、ディレクトリの階層、ファイルの記録位置、ファイルのサイズ、ファイル名
及びファイルの種類に応じたフラグが登録される。
【００２７】
図示しないが、ディスクに書き込まれたディレクトリの情報も同様に読み出され、図４
に示すようなディレクトリ情報のリストが作成される。ディレクトリ情報は、親ディレク
トリ情報、ディレクトリの階層、ディレクトリの記録位置、ディレクトリのサイズ、ディ
レクトリ名等から成る。
【００２８】
ディレクトリには予め決められたフラグが付され、各ディレクトリ情報にはＩＤ番号が
付される。各ディレクトリ情報のＩＤ番号が親ディレクトリ番号及びファイル情報のディ
レクトリ番号になっている。また、親ディレクトリ番号の「０」はルートディレクトリを
示している。
【００２９】
ディスクに書き込まれた全てのファイルのファイル情報及びディレクトリ情報のリスト
が作成されると、ステップ＃１６に移行する。ステップ＃１６ではユーザによる操作部９
の操作によって、再生するファイルの種類が指定される。ステップ＃１７では指定された
ファイルの種類に対応するフラグによってメモリ８に記憶されたファイル情報のリストを
検索し、指定した種類のファイルのファイル情報が取得される。
【００３０】
ステップ＃１８では取得したファイル情報に含まれる記録位置及びサイズに基づいてデ
ィスク上からファイルを取り出して再生部１１により再生する。これにより、ディスクＤ
上のファイルを検索する必要がなく再生開始までの時間が短縮される。尚、ファイルに書
き込まれた信号によりファイルの終了位置を検知できる場合にはリストにファイルのサイ
ズを含まなくてもよい。
【００３１】
ステップ＃１９では指定された種類のファイルの再生が最後まで行われたか否かが判別
される。ファイルが最後でない場合はステップ＃１７に戻って次のファイル情報を取得す
る。そして、ステップ＃１７〜＃１９が繰り返し行われ、指定された種類の最後のファイ
ルが再生されるとステップ＃２０に移行する。
【００３２】
ステップ＃２０ではディスクを再生する動作を終了する操作が行われたか否かが判断さ
れる。終了しない場合はステップ＃１６に戻って再生するファイルの種類の指定を待機す
る。終了する操作が行われた場合はプログラムを終了する。尚、ファイルの再生中に終了
操作が行われた場合も終了するようになっている。
【００３３】
本実施形態によると、ディスク挿入時にファイルの記録位置を有したリストを作成して
メモリに記憶し、リストのデータに基づいてディスクＤからファイルを取り出して再生す
るので、指定された種類のファイルをディスクＤ上で検索する時間を短縮することができ
る。従って、順次再生されるファイルの再生開始までの待機時間を短縮して、ディスク再
生装置１の使用性を向上させることができる。
【００３４】
また、ファイルの種類に対応して数値化したフラグをリストに記憶するので検索時間を
より短縮することができる。加えて、ディスクＤの書込み時にデータを書き込む必要がな
く、書込みの状況を問わずあらゆるディスクＤに対してファイルの検索時間を短縮できる
とともに、ユーザによる煩雑な操作が不要になりディスク再生装置１の使用性をより向上
することができる。
【産業上の利用可能性】
【００３５】
本発明によると、ＣＤやＤＶＤ等のディスクを再生するディスク再生装置に利用するこ
とができる。
【図面の簡単な説明】
【００３６】
【図１】本発明の実施形態のディスク再生装置の構成を示すブロック図
【図２】本発明の実施形態のディスク再生装置の動作を示すフローチャート
【図３】本発明の実施形態のディスク再生装置のファイル情報のリストを示す図
【図４】本発明の実施形態のディスク再生装置のディレクトリ情報のリストを示す図
【符号の説明】
【００３７】
１    ディスク再生装置
２    制御部
３    光ピックアップ
４    ＲＦアンプ
５    復調部
６    駆動部
７    デコーダ
８    メモリ
９    操作部
１０    出力部
１１    再生部
【図１】
2006048816.tif 000003
【図２】
2006048816.tif 000004
【図３】
2006048816.tif 000005
【図４】
2006048816.tif 000006